Podtech/llm-jp-corpus-v4-ja_patent huggingface dataset:
(57)【要約】      （修正有）【課題】演奏中に、あやまって手が触れても勝手に回ることのない、ボリュ−ムノブを提供する。【解決手段】ボリュ−ムノブ１の内面に溝を設け、ナット２と座金４に組み込んだストッパ−５をスライドさせ、ストッパ−の先端部を溝に差し込むことにより、ボリュ−ムノブに回り止め機能を持たせた。ボリュ−ムノブ・ロックシステムを取り付けたギタ−では、演奏中に手がノブに触れてもノブは回ることがなく、プレイヤ−は安心してギタ−を演奏することができる様になる。【選択図】図１
2010282162.tif 000002
【特許請求の範囲】
【請求項１】
（イ）下部に円筒部を設けたナット（２）に、平行部を持つ座金（４）と押さえ板（３）みを組み込む。
（ロ）内側に平行部を設けたストッパ−（５）を座金（４）の平行部に嵌め込み、前後にスライドさせる。
（ハ）ボリュ−ムノブ（１）のツバの内面に、ストッパ−（５）の先端部が入る溝を設ける。
以上の如く構成された、ボリュ−ムノブ・ロックシステム。
【発明の詳細な説明】
【技術分野】
【０００１】  本発明は、エレキギタ−（ストラト・タイプ）のボリュ−ムノブに関するものである。
【背景技術】
【０００２】  従来エレキギタ−のボリュ−ムノブには、回り止め機能は備わっていない。
【発明の開示】
【発明が解決しようとする課題】
【０００３】（ストラト・タイプ）のボリュ−ムノブは、一番弦の直ぐ下に設置されており、細かなボリュ−ム操作やバイオリン奏法には便利であるが、演奏中に手が触れて勝っ手に回ってしまう欠点がある。
そのため、プロのギタリストでも、ボリュ−ムノブをテ−プ等で止めている人もいるが見た目によくないし、ボリュ−ムペダルを接続しないとボリュ−ムを操作できなくなる。
本発明は、この問題をなくすためになされたものである。
【課題を解決するための手段】
【０００４】  通常ボリュ−ムノブを固定している座金とナットに換えて、ストッパ−（５）・座金（４）・押さえ板（３）・ナット（２）・ボリュ−ムノブ（１）の順序でボリュ−ムポッド軸に組み付ける。
ストッパ−（５）は座金（４）の平行部と、ナット（２）は座金（４）の内径部と嵌め合い寸法に加工されているので、ボリュ−ムポッドの軸芯に対して振れることなく組付けられる。
ストッパ−（５）は座金（４）より厚さを０．１ミリ程度マイナスさせているためナット（１）によってロックされず、前後にスライド可能となる。
ボリュ−ムノブ（１）のツバの内面にはストッパ−（５）の先端部が入る溝を数本もうける。
押さえ板（３）はバネ押さえの形状で、ストッパ−（５）が上方向に逃げるのを防ぐと同時に前後に移動した位置をキ−プする。
以上を特徴とするボリュ−ムノブ・ロックシステムである。
【効果】
【０００５】  本発明は以上のような構成からできているので、ストッパ−（５）を前後にスライドさすことにより、ボリュ−ムノブ（１）のツバ内面に設けられた溝にストッパ−（５）の先端部が差し込まれたり抜けたりする。
ストッパ−（５）が差し込まれた状態では、ストッパ−（５）の平行部が固定された座金（４）に嵌まっているのでノブ（１）は回転することはできない、ストッパ−（５）を抜けばノブ（１）は自由に回転する事ができ、通常のボリュ−ムノブと全く同じ動きをする。
ストッパ−（５）は小さな突起部だけが、ノブ（１）よりのぞいているので外観上はなにも付いていない様に見える、ストッパ−（５）の操作は指先で突起部を前後さすことで行われる。
ボリュ−ムノブ・ロックシステムを取り付けたギタ−では、演奏中に手がノブ（１）に触れてもノブ（１）は回ることがなく、プレイヤ−は安心してギタ−を演奏することができる様になった。
【発明を実施するための最良の形態】
【０００６】  以下、本案を実施するための最良の形態について説明する。
ナット（２）、座金（４）は金属で製作し、円筒部の嵌め合いはガタツキがなく、かつスム−ズにナット（２）が回転しながらボリュ−ムポッドに締めこめる寸法がよい。
ストッパ−（５）はアクリル板より製作し、平行部は座金（４）の平行部より、０・００３ミリ程度マイナスさせ締まり勝手としガタツキのない状態で前後に２ミリ程度スライドできるようにした。  材質は、プラスチック、金属等でも問題ない。
押さえ板（３）は、０・１ミリの金属プレ−トを使用。  ボリュ−ムノブ（１）は、市販されているストラト用ノブの内面に３ミリ幅の溝を４ヶ所設けた。
【図面の簡単な説明】
【０００７】
【図１】  本発明の組み立て断面図である。
【図２】  本発明の部品構成図である。
【図３】  ナット（２）の断面図と下面から見た図である。
【符号の説明】
【０００８】  １    ボリュ−ムノブ
１Ａ  ボリュ−ムノブ面
２    ナット
２Ａ  ナット断面
２Ｂ  ナット下面
３    押さえ板
４    座金
５    ストッパ−
【図１】
2010282162.tif 000003
【図２】
2010282162.tif 000004
【図３】
2010282162.tif 000005
(57)【要約】【課題】電子演算機に搭載のＵＳＢポートを利用した、不正なデータの移動、複写、出力。及び電子演算機を不正に使用し取得したデータが、ＵＳＢ機器にて移動、複写、出力が行われたかを明らかにする。【解決手段】全ＵＳＢポートの過去全ての使用履歴を解析し、使用した全ＵＳＢ機器の製品名、製品番号、接続開始日時を表示するとともに、端末情報を加えて結果を表示することで、どの端末にてＵＳＢポートがどの様に使われてきたかを調査することが出来るようにする。【特許請求の範囲】
【請求項１】
電子演算機に搭載されているＵＳＢポートが、過去から現在に至るまでの間に使用した全製品の名称、製品番号、接続開始日時を解析することを特徴とした、ＵＳＢポート使用履歴解析プログラム。
【請求項２】
ＵＳＢポートの使用履歴の解析結果に、電子演算器の個別情報を加えることで、解析がどの端末にて行われたかが分かることを特徴とした請求項１記載のＵＳＢポート使用履歴解析プログラム。
【発明の詳細な説明】
【技術分野】
【０００１】本発明は、電子演算機に搭載されているＵＳＢポートの使用履歴を、解析するプログラムに関するものである。
【背景分野】
【０００２】従来、各ＵＳＢポートに一番最後に接続した製品に関する製品名、製造番号、接続最終日時しか、解析出来る製品はなかった。
【発明の開示】
【発明が解決しようとする課題】
【０００３】直近のＵＳＢポートの使用履歴製品のみしか解析できない場合、ＵＳＢメモリなどの外部記録端子を使用した電子演算機内のデータ移動及び複写後、普段から使用されているプリンターなどのコンピューター周辺機器を同ＵＳＢポートに接続されてしまうと、ＵＳＢポートを利用したデータの移動や複写の事実を見抜けなかった。
また解析結果の出力時において電子演算機の個別情報が表示されないため、複数の端末を一斉に調査した場合に、解析結果の取り違えが発生。本発明は、この課題を解消する為になされたものである。
【課題を解決するための手段】
【０００４】電子演算機に搭載されている全ＵＳＢポートが過去に接続した、全ＵＳＢ製品の製品名、製品番号、接続開始日時を解析。またＵＳＢポートの使用履歴の解析結果に、電子演算機の固有情報と解析日時を加えて表示することを特徴とする。
【発明の効果】
【０００５】ＵＳＢポートの使用履歴を解析することによって、過去にＵＳＢ機器にて電子演算機から不正にデータが移動、複写、出力されたかを。更に電子演算機を不正に使用し取得したデータを、ＵＳＢポートを介して取得、出力したかを、調査することが出来る。
また解析結果に、解析対象の電子演算機の固有情報及び解析日時が表示されていることで、どの端末をいつ解析したかを明確にすることが出来る。
【発明を実施するための最良の形態】
【０００６】本プログラムをＣＤ媒体にて解析実行することで、一般的に多く普及しているＣＤドライブ搭載型の電子演算機のＵＳＢポートの使用履歴を、解析することが出来る。
またインストール不要とすることで、不用意に解析対象となる電子演算機の内部情報を書き換えることなく、解析することが出来る。
(57)【要約】【課題】  撮像カメラを内蔵した車両用計器装置の美観を向上させる。【解決手段】  指針５は、表示板４を指示する。指針駆動手段６は、指針５を回動させる。撮像カメラ７は、指針５の回動軸上に配設された光学部材７ａ〜７ｄを有する。撮像カメラ７は、光学部材７ａ〜７ｄを保持する保持部材７ｆを有する。指針５は、撮像カメラ７の前記保持部材７ｆに沿って回動する。複数の前記撮像カメラ７を所定間隔Ｓにて配置する。【選択図】  図２
2010105461.tif 000002
【特許請求の範囲】
【請求項１】
表示板と、前記表示板を指示する指針と、前記指針を回動させる指針駆動手段と、前記指針の回動軸上に配設された光学部材を有する撮像カメラと、を備えたことを特徴とする車両用計器装置。
【請求項２】
前記撮像カメラは、前記光学部材を保持する保持部材を有することを特徴とする請求項１に記載の車両用計器装置。
【請求項３】
前記指針は、前記撮像カメラの前記保持部材に沿って回動することを特徴とする請求項２に記載の車両用計器装置。
【請求項４】
複数の前記撮像カメラを所定間隔にて配置したことを特徴とする請求項１に記載の車両用計器装置。
【請求項５】
前記撮像カメラから出力された撮像データに基づいて撮像対象の位置を検出することを特徴とする請求項４に記載の車両用計器装置。
【発明の詳細な説明】
【技術分野】
【０００１】
本発明は、撮像カメラを備えた車両用計器装置に関するものである。
【背景技術】
【０００２】
従来より、車両乗員及び車両室内の状態を検知する監視システムが種々提案されており、例えば特許文献１乃至４に開示されている。斯かる監視システムには、光学的手法を用いた画像認識システムや、複数のセンサを車室内に設置して超音波による位置検出を行うシステムなどがあり、車両のダッシュボード内やステアリングコラム上など、車室内の様々な箇所に設置される。
【特許文献１】特表平９−５０１１２０号公報
【特許文献２】特開２００３−２６４８２６号公報
【特許文献３】特表２００４−５１９７８８号公報
【特許文献４】特開平９−３９７２８号公報
【発明の開示】
【発明が解決しようとする課題】
【０００３】
しかしながら、撮像カメラが車両用計器装置の周辺或いはステアリングコラム上に設置されるため、撮像カメラの後付け感があり、見栄えが良くないという問題を有していた。
本発明は、この問題に鑑みなされたものであり、撮像カメラを内蔵した車両用計器装置の美観向上を目的とするものである。
【課題を解決するための手段】
【０００４】
本発明は、請求項１に記載したように、表示板４と、前記表示板４を指示する指針５と、前記指針５を回動させる指針駆動手段６と、前記指針５の回動軸上に配設された光学部材７ａ〜７ｄを有する撮像カメラ７と、を備えたものである。
【０００５】
また、本発明は、請求項２に記載したように、前記撮像カメラ７は、前記光学部材７ａ〜７ｄを保持する保持部材７ｆを有するものである。
【０００６】
また、本発明は、請求項３に記載したように、前記指針５は、前記撮像カメラ７の前記保持部材７ｆに沿って回動するものである。
【０００７】
また、本発明は、請求項４に記載したように、複数の前記撮像カメラ７を所定間隔Ｓにて配置したものである。
【０００８】
また、本発明は、請求項５に記載したように、前記撮像カメラ７から出力された撮像データに基づいて撮像対象の位置を検出するものである。
【発明の効果】
【０００９】
指針の回動軸上に撮像カメラを配置したことにより、車両用計器装置の美観が向上する。
【発明を実施するための最良の形態】
【００１０】
以下、添付図面に基づいて、本発明の一実施形態を説明する。図１は車両用計器装置１の正面図、図２は指示計器２，３の断面図である。図面が煩雑になることを防ぐため、図２において、切断面の平行斜線（ハッチング）は省略する。
車両用計器装置１は、指示計器２，３を備えている。各指示計器２，３は、表示板４，指針５，ステッピングモーター（指針駆動手段）６，撮像カメラ７等からなるものである。
【００１１】
指針５は、表示板４を指示する指示部５ａと、筒状軸部５ｂとを有しており、この筒状軸部５ｂには歯車部５ｃが形成されている。指針５の筒状軸部５ｂは、軸受け９によって回動可能に支持されている。ステッピングモーター６は回動軸６ａを有しており、この回動軸６ａはフレーム１０に設けられた軸受け１１に軸支されている。ステッピングモーター６の回動軸６ａには、指針５の歯車部５ｃに噛合する歯車１２が設けられている。ステッピングモーター６は、歯車１２を介して、指針５を回動させる。
【００１２】
撮像カメラ７は、レンズ（光学部材）７ａ，７ｂ，７ｃ，７ｄ及び撮像素子７ｅを有している。撮像カメラ７は、指針５の筒状軸部５ｂ内に配置される。撮像カメラ７のレンズ７ａ〜７ｄは保持部材７ｆによって保持されており、これらのレンズ７ａ〜７ｄの光軸は指針５の回転軸と一致している。指針５は、ステッピングモーター６によって、撮像カメラ７の保持部材７ｆに沿って回動される。２個の撮像カメラ７から得られる撮像データは制御部（図示しない）に出力され、三角測量法にてターゲット（撮像対象）である車両運転者の位置が検出される。
【００１３】
図３は、三角測量法によるターゲットの距離計算のための模式図である。任意のターゲットに向かう撮像カメラ７の視線の途中に、既知指標を設定して、この既知指標上での視線ズレ量Ｗを測定し、ターゲット距離Ｄを求める。既知指標と撮像素子７ｅの距離をＬ、２個の撮像素子７ｅの間隔をＳとすると、ターゲット距離Ｄは式１となる。
Ｄ＝Ｓ×Ｌ（Ｓ−Ｗ）    （式１）
【００１４】
レンズ７ａ〜７ｄには半画角６０度の光線が入射し、入射光は撮像素子７ｅにて結像する。レンズ７ａ〜７ｄの材料は２種類以上の樹脂材料を組み合わせからなり、少なくとも１種類は、波長５８７．６ｎｍ、温度２０℃における屈折率が１．６以上で且つ、屈折率の波長依存性の指標となるアッベ数が３０以下である高屈折率高分散の樹脂材料を選択する。他の材料は、同条件における屈折率が１．５程度、アッベ数が５０〜６０程度の低屈折率低分散の材料とする。
【００１５】
本実施形態によれば、撮像カメラ７を指示計器２，３の中央部に配置することができ、車両用計器装置１の美観が向上する。また、撮像カメラ７のレンズ７ａ〜７ｄの光軸が、撮像カメラ７のターゲットである車両運転者の顔面へ向かっているため、良質の画像データが取得し易い。また、ステアリングスポーク等による撮像範囲の制約を最小に抑えることができる。
【図面の簡単な説明】
【００１６】
【図１】本発明の実施形態を示す正面図。
【図２】同上実施形態を示す断面図。
【図３】同上実施形態を示すターゲットの距離計算のための模式図。
【符号の説明】
【００１７】
４    表示板
５    指針
６    指針駆動手段
７    撮像カメラ
７ａ  レンズ（光学部材）
７ｂ  レンズ（光学部材）
７ｃ  レンズ（光学部材）
７ｄ  レンズ（光学部材）
７ｆ  保持部材
【図１】
2010105461.tif 000003
【図２】
2010105461.tif 000004
【図３】
2010105461.tif 000005
(57)【要約】      （修正有）【課題】大型の表示装置を簡便に搬送し、据え付け機能を兼務した容器を提供する。【解決手段】概略平板状の台座７の上に回転自由に駆動される回転テーブル８、この上に搬送ガイドレール６を左右に各一本、この上に上部表示器本体３及び下部表示器本体５を前後に移動自由に設け、多段に構成され上下に伸縮する伸縮チューブ１を伸縮チューブ１の先端に取り付けられた吊り下げ具２を介して上部表示器本体３に連結して設ける。台座７の回転テーブル８より端にはアウトリガージャッキ９を各二本収納可能なジャッキ収納ガイド１２、機器の駆動や制御のための発電器４及び分電盤１１などの電気系統を設け、台座７の底面には移動用の車輪１０を２本以上設ける。【選択図】図１
2010105813.tif 000002
【特許請求の範囲】
【請求項１】
（ア）概略平板状の台座（７）の上に回転自由に駆動される回転テーブル（８）、この上に搬送ガイドレール（６）を左右に各一本、この上に上部表示器本体（３）及び下部表示器本体（５）を前後に移動自由に設け、多段に構成され上下に伸縮する伸縮チューブ（１）を伸縮チューブ（１）の先端に取り付けられた吊り下げ具（２）を介して上部表示器本体（３）に連結して設ける。台座（７）の回転テーブル（８）より端にはアウトリガージャッキ（９）を各二本収納可能なジャッキ収納ガイド（１２）、機器の駆動や制御のための発電器（４）及び分電盤（１１）などの電気系統を設ける。
（イ）台座（７）の外周４面には扉が設けられた側壁（１３）、上部には上部表示器本体（３）下部表示器本体（５）及び伸縮チューブ（１）を上方向に引き出す際に干渉することを避けるために、上面後扉（１７）を設けた上面後部壁（１３）及び上面前扉（１６）を設けた上面前部壁（１５）を設ける。
以上の構成のＬＥＤ表示装置搬送容器。
【請求項２】
台座（７）の底面に移動用の車輪（１０）を２本以上設けた請求項１のＬＥＤ表示装置搬送容器。
【発明の詳細な説明】
【技術分野】
【０００１】この発明は、ＬＥＤや液晶、プラズマなどの表示装置のなかでも屋外などで用いる大型の表示装置の搬送装置に関するものである。
【背景技術】
【０００２】従来、大型の表示装置は大型のトラックの荷台に据え付けらており、例えば野外会場の適当な場所にトラックを止め、荷台を開閉することにより内部に据え付けられた表示装置の画像を外に居る人々が見られるように工夫していた。
【発明の開示】
【発明が解決しようとする課題】
【０００３】そのためには次のような問題が有った。
表示器は特定の車体に固定されているため、取り外すことができず、この車体は他に流用することができず効率的な使用ができなかった。
又車体の入ることのできない狭い通路があったり狭い会場では搬入ができなかった。
【課題を解決するための手段】
【０００４】表示装置を分割した状態とし、表示装置を高い位置に移動する伸縮機構及び表示角度を調整するための回転テーブル及びこれらの制御装置及び電源装置を内部に設けた箱形の搬送容器の内部に納め、搬送容器の底部には搬送のための車輪と安定した設置のためのアンカージャッキを設けた構造とした。
【発明の効果】
【０００５】搬送容器の外側に車輪を設けることができるため狭い場所での移動や輸送車に搭載するさいに便利である。【０００６】搬送容器の外側には固定及び上下の高さの調整のためのアンカージャッキが設けられているため、凹凸のある場所に設置する際、簡便であり、安全性が高い。【０００７】搬送容器の内部には上下方向に動作する伸縮機構及び回転機構が設けられているため表示器の設置する高さや角度を調整できるため見やすく、便利である。【０００８】表示装置は分割されているため、収納時の高さを低く押さえることができ、また重心も低くなるため安全性と移送性が高い。
【発明を実施するための最良の形態】
【０００９】以下に本発明の実施の形態を図１，図２，図３を用いて説明する。
（ア）概略平板状の台座（７）の上に回転自由に駆動される回転テーブル（８）、この上に搬送ガイドレール（６）を左右に各一本、この上に上部表示器本体（３）及び下部表示器本体（５）を前後に移動自由に設け、多段に構成され上下に伸縮する伸縮チューブ（１）を伸縮チューブ（１）の先端に取り付けられた吊り下げ金具（２）を介して上部表示体（３）に連結して設ける。台座（７）の回転テーブル（８）の左右の端にはアウトリガージャッキ（９）を収納可能なジャッキ収納ガイド（１２）、機器の駆動や制御のための発電器（４）及び分電盤（１１）などの電気系統を設け、台座（７）の底面には移動用の車輪（１０）を２本以上本設ける。
（イ）台座（７）の外周４面には扉が設けられた側壁（１３）、上部には上部表示器本体（３）下部表示器本体（５）及び伸縮チューブ（１）を上方向に引き出す際に干渉することを避けるために、上面後扉（１７）を設けた上面後部壁（１３）及び上面前扉（１６）を設けた上面前部壁（１５）を設ける。
本発明は以上のような構成で使用の際は、
たとえばトラックで搬出する際は、フォークリフトなどのフォークを台座（７）の下に差し込み、本品全体を持ち上げ移送し、本品に付属した車輪（１０）を併用してトラックの荷台に収納する。搬出先ではトラックの荷台から車輪（１０）を併用して地面に降ろし、最終搬出場所まで車輪（１０）を用いて移動する。この後アウトリガージャッキ（９）をジャッキ収納ガイド（１２）より引き出し、回転動作により地面に設置し、ジャッキ機能を用いて高さ調整し据え付ける。その後上面前扉（１６）、上面後扉（１７）を開き、回転テーブル（８）及び伸縮チューブ（１）を用いて上部表示器本体（３）を所定の角度と高さにつり上げ、その後下部表示器本体（５）を搬送ガイドレール（６）の上を動かし、上部表示器本体（３）の下に据えつけ、伸縮チューブ（１）及び回転テーブル（８）を更に駆動し高さや角度を調整する。この際車輪（１０）は他のもので代用することにより移送が可能なため必ずしも取り付けられている必要がない。
【図面の簡単な説明】
【００１０】
【図１】本発明の内部の透過斜視図である。
【図２】本発明の車輪を用いて移動する状態の透過斜視図である。
【図３】本発明の設置後の斜視図である。
【符号の説明】
【００１１】１．伸縮チューブ
２．吊り下げ金具
３．上部表示器本体
４．発電器
５．下部表示器本体
６．搬送ガイドレール
７．台座
８．回転テーブル
９．アウトリガージャッキ
１０．車輪
１１．分電盤
１２．ジャッキ収納ガイド
１３．側壁
１４．上面後部壁
１５．上面前部壁
１６．上面前扉
１７．上面後扉
【図１】
2010105813.tif 000003
【図２】
2010105813.tif 000004
【図３】
2010105813.tif 000005
(57)【要約】      （修正有）【課題】制作を容易にし単純な小片の組み合わせで複雑な絵や模様を現出したステンドグラスを提供する。【解決手段】着色透明板又は着色半透明板の小片６，１ａの平面部外縁に小片本体より透明度の低い、或いは、不透明な縁帯２ａ、２ｂを設け、この縁帯部に接着剤を塗布し、小片６，１ａを平面状又は小片を重ね合わせて透明板又は半透明板１１に貼り付ける。【選択図】図２
2010105899.tif 000002
【特許請求の範囲】
【請求項１】
着色透明板又は着色半透明板の小片の平面部外縁に小片本体より透明度の低い、或いは、不透明な縁帯を設け、この縁帯部に接着剤を塗布し、小片を平面状に並べ又は小片を重ねて張り合わせて透明板又は半透明板に貼り付けたステンドグラス。
【請求項２】
小片の平面部外縁の縁帯の幅内に外周に沿った溝を設けた請求項１のステンドグラス。
【発明の詳細な説明】
【技術分野】
【０００１】  この発明は、ステンドグラスの貼り合わせ結合に関するものである。
【背景技術】
【０００２】  従来のステンドグラスは、鉛等のリムを用い着色ガラスの小片を結合し絵や模様を表現していた。
【発明の開示】
【発明が解決しようとする課題】
【０００３】  これは、平面状に着色ガラスの小片を並べ結合する手法に限定され、リムによる結合にも熟練を要し、また、リムの材質は、作業性を良くするため変形させ易く柔軟性のある鉛等の有害物質が使われる場合が多かった。
【課題を解決するための手段】
【０００４】  上記課題を解決するために、請求項１に記載のステンドグラスは、着色透明板又は着色半透明板の小片の平面部外縁に小片本体より透明度の低い、或いは、不透明な縁帯を設け、この縁帯部に接着剤を塗布し、小片を平面状に並べ又は小片を重ねて張り合わせ透明板又は半透明板に貼り付けたことを特徴としている。【０００５】  請求項２に記載のステンドグラスは、小片の平面部外縁の小片本体より透明度の低い、或いは、不透明な縁帯の幅内に外周に沿った溝を設けたことを特徴としている。
【発明の効果】
【０００６】  請求項１に記載のステンドグラスは、着色透明板又は着色半透明板の小片の平面部外縁に小片本体より透明度の低い、或いは、不透明な縁帯を設け、この縁帯部に接着剤を塗布し、小片を平面状に並べ又は小片を重ねて張り合わせ透明板又は半透明板に貼り付けることから、小片の縁帯部に塗布された接着剤は、縁帯部に隠れ小片の縁帯の内側で形成される着色透明部又は着色半透明部を損うことがなく、また、小片を重ね合わせて透明板又は半透明版に貼り付けた際には、縁帯の内側に形成される着色透明部又は着色半透明部の色が重なり第三の色彩を現出させ、縁帯部が線状に交錯し第三の輪郭模様が現出し、小片が単純な形状あっても複雑で抽象的な絵や模様が表現でき、また、小片の結合も鉛等を使ったリムの必要性が無いため制作に熟練を要さず、有害物質を使用する必要が無い。
また、小片の外周の鋭角による手等の怪我を防止する面取りが必要となるが、小片本体より透明度の低い、或いは、不透明な縁帯の外周を面取りするため縁帯の内側で形成される着色透明部又は着色半透明部を損うことがなく、また、この面取りを小片の表裏面の外周の角部において、小片を他の平面状の物体の上に置いた状態で小片外周と平面状の物体の間に爪の先端が入る以上の大きさとすることによって、透明板又は半透明板に貼り付けた状態から小片を剥がすことが容易となり、絵や模様の修正が容易になる。【０００７】  請求項２に記載のステンドグラスは、小片の平面部外縁の小片本体より透明度の低い、或いは、不透明な縁帯の幅内に外周に沿った溝を設け、この溝によって縁帯部に塗布された接着剤が縁帯の内側で形成される着色透明部又は着色半透明部に流れ出さないように塞き止め、また、両面接着テープを接着剤として使用した場合、この溝を刃物の案内とし両面接着テープの切断を容易にする。
【発明を実施するための最良の形態】
【０００８】  以下、本発明のステンドグラスを幾つかの図面により説明する。
図１は、本発明の請求項１における実施例の正面図であり、着色透明板又は着色半透明板の小片（１）の平面部外縁に小片本体より透明度の低い、或いは、不透明な縁帯（２）を設け、この縁帯（２）部に接着剤（９）を塗布しても縁帯（２）の内側で形成される着色透明部又は着色半透明部（３）を損うことがなく、また、手等の怪我を防止する為の面取り（４）を施しても、縁帯（２）の内側の輪郭の鋭角（５）が保持されことを簡単な形状の小片（１）による実施例である。【０００９】  図２は、本発明の請求項１における、小片を重ね合わせ透明板又は半透明板に貼り付けた実施例の正面図であり、黄色透明板又は黄色半透明板の小片（１ａ）と青色透明板又は青色半透明板の小片（６）を重ね合わせて透明板又は半透明板（１１）に貼り付けることにより第三の色彩である緑色透明部又は緑色半透明部（７）が現出し、また、縁帯（２ａ）、縁帯（２ｂ）が線状に交錯し第三の輪郭模様が得られる状態を簡単な形状の小片による実施例である。【００１０】  図３は、本発明の請求項２における、小片の平面外縁の縁帯の幅内に外周に沿った溝を設けた実施例の平面部分拡大図であり、縁帯（２）の幅内に内側の溝（８ａ）と外側の溝（８ｂ）の二本の溝が小片（１）の外周（１０）に沿った方向を長手方向とし部分的に掘られ、この二本の溝の幅内に接着剤（９）が塗布された実施例である。
【図面の簡単な説明】
【００１１】
【図１】  本発明の請求項１の正面図である。
【図２】  本発明の請求項１の小片を重ね合わせ貼り付けた平面図である。
【図３】  本発明の請求項２の平面部分拡大図である。
【符号の説明】
【００１２】  １  小片
１ａ  黄色透明板又は黄色半透明板の小片
２、２ａ、２ｂ  縁帯
３、３ａ、３ｂ  着色透明部又は着色半透明部
４  面取り
５  鋭角
６  青色透明板又は青色半透明板の小片
７  緑色透明部又は緑色半透明部
８ａ  内側の溝
８ｂ  外側の溝
９  接着剤
１０  外周
１１  透明板又は半透明板
【図１】
2010105899.tif 000003
【図２】
2010105899.tif 000004
【図３】
2010105899.tif 000005
(57)【要約】      （修正有）【課題】収穫した農作物素材より肥料を作り土壌に返すシステムによる地産地消型農業を目指し、土壌障害や環境破壊及び地球温暖化の問題点を解決した肥料及び、食材料の酵素を有効利用することにより化学合成物質の摂取量を低減する食材を提供する。【解決手段】収穫した農作物素材から浸透圧を利用して酵素を抽出し、肥料として使用する。更に、抽出した酵素を食材の発酵時に添加して菌による発酵を助け、低価格、低カロリーの食材とする。【選択図】なし【特許請求の範囲】
【請求項１】
農業において、収穫した素材から浸透圧を利用して酵素を抽出し、収穫後及び実り時の肥料に使用し、地産地消型農法とする。
【請求項２】
請求項１にて抽出した酵素を食材の発酵や化学合成物質の代わりに使用する。
【発明の詳細な説明】
【技術分野】
【０００１】
本発明は、酵素に関する。
農業においての化学肥料は、土を硬くし土壌酸性化等さまざまな要因となるが、収穫した素材から酵素を抽出する方法なら現在の化学肥料より、環境問題等を軽減でき、健全に農作物を育成でき、食材に使用することにより低カロリー高成分である。          
【背景技術】
【０００２】
従来、農業においての酵素栽培は行なっているがが、収穫した素材より酵素を抽出し肥料とするのは例がない、まさに地産地消であり、従来以上の土壌改良となり地球温暖化防止にも伴い、作り出された酵素により食材を作ることにより低カロリー高成分を実現できる。  
【特許文献１】特許出願平６−１１７４４９
【発明の開示】
【発明が解決しようとする課題】
【０００３】
従来の構造が有していた酵素だと、市販酵素は価格も高値及び加熱処理が義務付けられており酵素の変質が起こる為、従来酵素がもつ力を十分発揮できず、食材も同様であり、酵素の能力を十分発揮できない点に問題にある。
【課題を解決するための手段】
【０００４】
本発明は、上記目的を達成するために、収穫した素材より酵素の一般的な抽出方法の浸透圧方式で酵素を抽出させ液肥や堆肥とし、収穫した素材の樹木や実り時の肥料の１つとし、食材の発酵を助け、味付け等さまざまな用途に変換することにある。
【発明の効果】
【０００５】
従来の化学肥料に比べ効果は、土壌は硬化しにくく土中の微生物を活性させ今まで以上、土壌を良好にする。
【０００６】
従来の市販する酵素にくらべ浸透方式で抽出する為、低価格を可能にした。
【０００７】
食材に使用することにより化学合成物質等使用せず、低カロリー及び高成分での調理等可能にした。
【発明を実施するための最良の形態】
【０００８】
収穫した新鮮な素材を浸透圧析出方法によって酵素の抽出。
【０００９】
収穫した新鮮な素材を浸透圧析出方法によって酵素の抽出し、食材に使用。
【実施例】
【００１０】
抽出方法の浸透圧方式とは、例えば水（濃度の低い液体）と塩水（濃度の高い液体）を混ぜると濃度の低い水が濃度の高い塩水に液体移動する原理である。
【００１１】
食材に使用とは、例えば、果実酵素を使用し食材の発酵時加えると、菌の発酵を助け、果実酵素の為、果実を加え味付け時する必要がなく、低価格、低カロリー、高成分を実現する。
【産業上の利用可能性】
【００１２】
従来の農業に比べ、はるかに地産地消型農業が可能となる。
【００１３】
従来品より低価格。
【００１４】
農作物の品質向上。
【００１５】
温暖化防止。
【００１６】
化学調味料使用せず健康生活。
(57)【要約】【課題】本発明によれば、センサー部を小型安価にし、複数のセンサー部より伝送されたデータは親機にて一括記録されている為、記録データの収集が安易に短時間で可能となる。【解決手段】本発明は、無線送信子機２０に記録装置を搭載せず、無線データ１２により記録装置３３を搭載した無線受信親機３０に計測の都度、計測データ１１を伝送する。なお、無線受信親機は複数の無線送信子機からの計測データ１１を一括して記録すると好ましい。【選択図】図３
2010105748.tif 000002
【特許請求の範囲】
【請求項１】
複数の運送物等にそれぞれ、温度及び湿度センサーを持った無線送信機子機を置き、温度、湿度データを無線で送信させ、それらのデータを受信する無線受信親機で構成される、温度、湿度センサー無線収集システムにおいて、親機は受信したデータを内部の記録装置に随時蓄積し、運送物到着後、親機の記録装置のデータを読み取るだけで、運送中の運送物の温度、湿度履歴を把握できることを特徴とする、温度、湿度センサー無線収集システム。
【請求項２】
請求項1のシステムにおいて、到着地にビーコン送信機を置き、親機はこの電波を受信すると内部記録装置のデータを到着地の受信機に送信し、ネットワークを経由して自動的に履歴データを必要ヵ所転送できることを特徴とする、温度、湿度センサー無線収集システム。
【請求項３】
請求項1、請求項2のシステムにおいて、親機は保冷コンテナ又は保冷トラックに常備されており、電源も供給され、電源が切れた場合、内部電池で受信記録が続行できることと、子機は通い箱に常備されており、親機、子機の運送物への装着の手間が不要なことを特徴とする、温度、湿度センサー無線収集システム。
【請求項４】
温度管理が必要な流通中の物品の温度履歴管理方法に関し、それぞれの物品に記録装置を設置すると、データの記録コスト、データ転送コストがかかり、物品にセンサーと無線送信手段だけを持たせ、運送中に親機で、データを無線で収集すると、到着後、親機にデータが集約されているので、親機のデータを読み取るだけで、短時間に全運送物品の運送中の温、湿度履歴が得られることを特徴とする、温度、湿度センサー無線収集システム。
【発明の詳細な説明】
【技術分野】
【０００１】
本発明は、複数の無線送信機子機とデータを記録する無線受信親機に分けることにより、各無線送信機子機を安価に構成でき、無線受信親機に蓄えられたデータを安易に収集可能とする計測装置に関するものである。
【背景技術】
【０００２】
運送物の流通中に於ける周囲環境の状態を履歴に残す方法として温度や湿度などのセンサーに記録する装置を搭載し使用している。運送物が目的地に到着後に記録データを収集し流通中の周囲環境の履歴を得る。
【０００３】
しかし、センサー各々に記録部を搭載しており、センサー記録装置が高価で、大量の運送物に各々搭載すると、データの収集に手間と時間がかかっている。
【発明の開示】
【発明が解決しようとする課題】
【０００４】
センサー記録装置が高価であり、大量のセンサー記録装置からの記録データ収集の時間がかかる点である。
【課題を解決するための手段】
【０００５】
本発明による無線センサー計測装置は、センサーに記録部を搭載せず、無線により記録部を搭載した親機に計測の都度、計測結果を伝送する。
【０００６】
親機は複数のセンサーからの測定データを一括して記録する。
【発明の効果】
【０００７】
以上に説明したように、無線センサー記録装置を使用することにより、センサー部は小型安価にでき、複数のセンサー部より伝送されたデータは親機にて一括記録されている為、記録データの収集が安易に短時間で可能となる。
【発明を実施するための最良の形態】
【０００８】
センサーからのデータを送信する無線送信機子機と複数の子機からのデータを記録する無線受信親機により、安価なセンサー部と記録データの収集の短時間化を実現した。
【実施例】
【０００９】
図１は本発明を実施するための無線送信機子機のブロック図である。
【００１０】
図２は本発明を実施するための無線受信親機のブロック図である。
【００１１】
無線送信機子機２０は、温湿度センサー２１、ＣＰＵ２２、送信機２３を含む構成となっている。
【００１２】
無線受信器親機３０は、受信器３１、ＣＰＵ３２、記録装置３３を含む構成となっている。
【００１３】
図３は本発明の無線センサー計測装置の構成と動作を示す図である。
【００１４】
無線送信機子機２０内の温湿度センサー２１が周囲環境１０を計測した計測したデータ１１を、ＣＰＵ２２にて取得する。
【００１５】
取得した情報を、送信機２３を用いて無線データ１２として送信する。
【００１６】
無線受信親機３０内の受信器３１で受信した無線データを、ＣＰＵ３２にて取得する。
【００１７】
取得した情報を、記憶装置３３に格納する。これにより、複数台の無線送信子機２０からの計測データ１０を、無線受信親機３０内の記録装置３３に一括記録できる。
【図面の簡単な説明】
【００１８】
【図１】本発明の機能を有する無線送信機子機のブロック図である。
【図２】本発明の機能を有する無線受信機親機のブロック図である。
【図３】図１、図２を用いた無線センサー計測装置の構成図である。
【符号の説明】
【００１９】
１０  周囲環境
１１  センサーが計測したデータ
１２  無線データ
２０  無線送信機子機
２１  温湿度センサー
２２  ＣＰＵ
２３  送信機
３０  無線受信器親機
３１  受信器
３２  ＣＰＵ
３３  記録装置
【図１】
2010105748.tif 000003
【図２】
2010105748.tif 000004
【図３】
2010105748.tif 000005
(57)【要約】【課題】  夏の暑い時期に熱いカップ麺では食欲がわかない為、冷たいカップ麺を手軽に作るという課題を解決すること。【解決手段】  カップ麺の蓋の部分に水の流入口を設け、水を流し込み、熱い麺を急速に冷やす事によりこの課題を解決する。【選択図】図２
2010105735.tif 000002
【特許請求の範囲】
【請求項１】
カップ麺の蓋の部分に湯切り口の他に水の流入口を開け、熱湯によって茹で上がった麺に水を流し込み、一気に冷やすことを可能とする事を特徴とする容器。
【発明の詳細な説明】
【技術分野】
【０００１】  本発明は、熱湯で茹で上がったカップ麺を急速に冷やす事に関するものであり、カップ麺の蓋に工夫を加える事によって、水を流し込みながら麺を冷やせる様にしたものである。
【背景技術】
【０００２】  特になし。
【発明の開示】
【発明が解決しようとする課題】
【０００３】  従来のカップ麺は、熱いラーメン、うどん、そば、又は温かい焼きそば等であり、比較的寒い時期や涼しい時期に美味しい食べ物であるが、夏の暑い時期には熱いものは食欲がわかないと思う人も多いはずである。暑い時期に冷たいうどん、そば、冷やしラーメンを手軽につくる事。すなわち一度熱湯で熱くなった麺をどの様に冷やすか解決する事を課題とする。
【課題を解決するための手段】
【０００４】  この課題を解決するための請求項１の発明は、カップ麺湯切り口の反対側に、水を流し込む流水口（図−１）を設けた事を特徴とする蓋である。湯切りした直後の熱い麺を流水にさらす事により、麺を急速に冷やすことができる。
【発明の効果】
【０００５】  本発明により、カップをより効果的に、急速に冷やす事ができ、夏の暑い時期に手軽に冷たいカップ麺を作ることができる。
【発明を実施するための最良の形態】
【０００６】  図１は、蓋の部分に湯切り口と反対側に流水口を設けたことを特徴とするカップ麺の蓋の形状である。蓋の一部に切り込みを入れておき、湯切りをした後、簡単に指で開けられる様にする。【０００７】  図２は、湯切りした後、流水口より水道水を注ぎ込み、麺を水で直接冷やしている図である。冷たい水が絶え間なく麺にかかることにより、急速に冷やすことができる。
【産業上の利用可能性】
【０００８】  本発明に係るカップ麺容器は、蓋に簡単に加工するだけで、カップ麺の種類を冷やし麺にも広げるものであり、産業上の利用可能性を有する。
【図面の簡単な説明】
【０００９】
【図１】  湯切り口の反対側に流水口を設けた図である。
【図２】  流水口より水道水を流し込み麺を冷やしている図である。
【符号の説明】
【００１０】  １    水を流入する為に蓋の一部を加工した流水口
２    湯切り口、及び水の排出口
【図１】
2010105735.tif 000003
【図２】
2010105735.tif 000004
(57)【要約】      （修正有）【課題】防水処理剤は、主にシリコン剤が使われている。防水処理作業後、シリコン剤を放置して置くとシリコン容器の先端ノズル内で硬化し張り付く為、次回作業で使用したい時に、残りのシリコン剤は押し出せず廃棄するしかなく多くのムダをだしている。今まで廃棄していた残ったシリコン剤もムダなく使え経済的で防水作業もスムーズに行えるシリコン容器を提供する。【解決手段】インナーノズルｂを入れ替えるだけで硬化したシリコン剤を素早く取り除く事が出来るように先端ノズルａの内側にインナーノズルｂを設ける。【選択図】図１−３
2010105738.tif 000002
【特許請求の範囲】
【請求項１】
防水処理剤としてシリコン剤が使われている。そのシリコ容器に取り付けた先端ノズルとシリコン剤とを分割つする為にインナーノズルを設けた事を特徴とする。
【発明の詳細な説明】
【技術分野】
【０００１】  この発明は、防水処理剤としてシリコン剤が使われているが、そのシリコン剤を詰め込む容器（以後シリコン容器と言う）に取り付けている、シリコン容器先端ノズル（以後先端ノズルと言う）と、シリコン剤を分割する為に、インナーノズルを設けた事に関するものである。
【背景技術】
【０００２】  これまで、防水処理剤としてシリコン剤が主に使われているが、防水処理作業後残ったシリコン剤は先端ノズル内で硬化し先端ノズルに張り付く為、再度、使用したい時に使えない不便さがあった。
【発明の開示】
【発明が解決しようとする課題】
【０００３】今まで、次の様な問題点があった。
防水処理剤には、シリコン剤が主に使われているが、防水処理作業後残ったシリコン剤をそのままに放置しておくと先端ノズル内に残ったシリコン剤は硬化し先端ノズルに張り付く、先端ノズル内で硬化したシリコン剤は取り除く事は出来ない為、残ったシリコン剤を再度、使用したい時に使用できないでいる。
先端ノズルは、シリコン容器に一つしか付いていない為、先端ノズルの取替えが出来ず残ったシリコン剤はシリコン容器ごと破棄するしかなく、多くのムダを出し、不経済で防水処理作業の妨げになっている。
本発明は、以上の問題を解決する為に発明されたものである。
【課題を解決する為の手段】
【０００４】  シリコン剤の硬化は防げない為、使用前にあらかじめシリコン容器から先端ノズルを取り外し先端ノズル内にインナーノズルを差し込んでから使用する。
再度、使用する際にはシリコン剤は、インナーノズル内で硬化している為インナーノズル抜き取り新しく入れ替えるだけで硬化したシリコン剤を素早く取り除くことが出来る。
【発明の効果】
【０００５】  これまで、先端ノズル内に硬化し、張り付いたシリコン剤の為に防水作業に手間取っていたが、先端ノズル内のインナーノズルを入れ替えるだけで、硬化したシリコン剤を取り除くことが出来る為、これまで破棄していた、残ったシリコン剤をムダなく使え経済的である。
インナーノズルを新しく入れ替えるだけで硬化したシリコン剤にわずらわされず防水作業がスムーズに、繰り返えすことが出来る。
【発明を実施する為の最良の形態】
【０００６】以下、本発明の実施例について説明する。
先端ノズル（ａ）にインナーノズル（ｂ）を差し込み、先端ノズル（ａ）をシリコン容器本体（Ｃ）に取り付ける。
【図面の簡単な説明】
【０００７】
【図１】本発明の断面図と実施例である。
【図１−１】インナーノズル（ｂ）を通常使用した断面図である。
【図１−２】インナーノズル（ｂ）を使用した後、先端部分が硬化したシリコン剤（ｅ）の断面図である。
【図１−３】使用済みインナーノズル（ｆ）と新しいインナーノズル（ｂ）を入れ替えた断面図である。
【図１−４】厚底にした底蓋（ｇ）で最後までシリコン剤（ｄ）を使用した断面図である。
【符号の説明】
【０００８】（ａ）先端ノズル
（ｂ）インナーノズル
（ｃ）シリコン容器本体
（ｄ）シリコン剤
（ｅ）硬化したシリコン剤
（ｆ）使用済みインナーノズル
（ｇ）厚底にした底蓋
【図１−１】
2010105738.tif 000003
【図１−２】
2010105738.tif 000004
【図１−３】
2010105738.tif 000005
【図１−４】
2010105738.tif 000006
(57)【要約】      （修正有）【課題】書類保管時においてそれらを綴じる際に、その書類がばらけることなく、そして書類を取り出す際は、その書類の取り出しが容易であるように、手間を掛けずに、綴じて収納スペースに効率良く収納が出来ることが可能な、シンプルな綴じ具を提供する。【解決手段】八の字状のゴム紐のクロス部分を固定し、片方の輪に留め具を取り付けたもの。【選択図】図２
2010105737.tif 000002
【特許請求の範囲】
【請求項１】
八の字状のゴム紐の輪のクロス部分を固定したもの
【請求項２】
前記ゴム紐の輪の一方に留め具を取り付けたもの
【発明の詳細な説明】
【技術分野】
【０００１】この発明は、書類等の保管を容易にするための綴じ具である。
【背景技術】
【０００２】従来このような綴じ具として代表的なものには綴じ紐があり、書類にパンチ穴を施して綴じ紐を通し、両端を結ぶことによりその役目を果たす。
または、板紙製のファイルボックス「特許文献１」をもって書類の保管に用いられる方法等もある。
【特許文献１】  特許公開  ２００４−２９９２４５号広報
【発明の開示】
【発明が解決しようとする課題】
【０００３】しかしながら綴じ紐を用いた場合は、保管書類に穴をあけるという行為が生じ、且つ、綴じた後の書類取り出しにも手間を要することになる。
次に、ファイルボックスを用いた場合は、棚に陳列させてある間はよいが、最終箱詰保管においてはそのかかるコスト、収納箱のスペースの有効利用に懸念を残すことになる。
そこで、この発明は、その綴じられる書類に穴を開けるという行為を抑制し、効率的に保管作業を終えることを図り、また、副次的な効果として、かかるコストの軽減を図ることが可能になる。
【課題を解決するための手段】
【０００４】以上の課題を解決するために、第一発明は、八の字状のゴム紐の輪のクロス部分を固定したものを特徴とする。
また、第二発明は、そのゴム紐の輪の一方に留め具を取り付けたものを特徴とする。
【発明の効果】
【０００５】第一発明、または第二発明によれば、書類に穴を開けることもなく容易に書類を綴じることができ、最適な保管ができる。
【発明を実施するための最良の形態】
【０００６】  この発明の一実施形態を、代表図面に示す。
八の字状のゴム紐の輪のクロス部が固定されており、かつ、そのゴム紐の一方に留め具が取り付けられている。【０００７】「実施形態の効果」
この実施形態によれば、八の字状のゴム紐の輪の一方を、その保管書類の角に掛け、もう一方の輪を引っ張りながらその保管書類の反対面上の中心部あたりにて、留め具を用いゴム紐同士を固定することにより容易に保管書類を綴じることが出来る。【０００８】「他の実施形態」
代表図面の実施形態では、留め具が長方形を模しているが、留め具の機能さえあれば、他の形状でもよい。
【図面の簡単な説明】
【０００９】
【代表図面】
本発明の綴じ紐の平面図である。
【図１】
使用方法の形態を示す斜視図である。
【図２】
本発明の使用例を示す斜視図である。
【図３】
従来技術を示す斜視図である（書類に穴を施され綴じられたもの）
【符号の説明】
【００１０】  １  紐                ａ保管書類
２  クロス部
３  留め具
2010105737.tif 000003
【図１】
2010105737.tif 000004
【図２】
2010105737.tif 000005
【図３】
2010105737.tif 000006
【手続補正書】
【提出日】平成20年12月21日(2008.12.21)
【手続補正１】
【補正対象書類名】明細書
【補正対象項目名】０００９
【補正方法】変更
【補正の内容】
【０００９】
【図１】本発明の綴じ紐の平面図である。
【図２】使用方法の形態を示す斜視図である。
【図３】本発明の使用例を示す斜視図である。
【図４】従来技術を示す斜視図である。（書類に穴を施され綴じられたもの）
【手続補正２】
【補正対象書類名】図面
【補正対象項目名】全図
【補正方法】変更
【補正の内容】
【図１】
2010105737.tif 000007
【図２】
2010105737.tif 000008
【図３】
2010105737.tif 000009
【図４】
2010105737.tif 000010
(57)【要約】【課題】  コーヒーのドリップペーパーを衛生的に場所をとらずに収納でき、片手で引き出せる引き出し口を設けたコーヒードリップペーパー収納引き出しバッグを提供する。【解決手段】  本体（１）下側に設けた蓋（２）を閉じる事により、適切な大きさのペーパー引き出し口（３）を設け、本体（１）には、収納用つり下げ紐（４）とスプーンベルト（５）を設けたコーヒードリップペーパー収納引き出しバッグを特徴とする。【選択図】図１
2010105736.tif 000002
【特許請求の範囲】
【請求項１】
本体（１）下側に設けた蓋（２）を閉じる事により、できる両端の空間を、ペーパー引き出し口（３）として設け、本体（１）につり下げ紐（４）とスプーンベルト（５）を設けたコーヒードリップペーパー収納引き出しバッグ。
【発明の詳細な説明】
【技術分野】
【０００１】  この発明は、コーヒーを抽出する際に使用するドリップペーパーを衛生的につり下げ収納し、ペーパーを片手で引き出すことが出来、メジャースプーンも一緒に収納出来るコーヒードリップペーパー収納引き出しバッグに関するものである。
【背景技術】
【０００２】  従来、ドリップペーパー入れは蓋付き置き型タイプのものと蓋無し置き型タイプのものであった。
【発明の開示】
【発明が解決しようとする課題】
【０００３】  これは、次のような欠点があった。
（イ）埃除けの蓋付きのものは、コーヒーを入れる度に蓋を開け、ペーパーを取る手間がかかる。
（ロ）蓋の無いものは取り出しやすいが、埃が積もり衛生的ではない。
（ハ）（イ）・（ロ）共通して置く場所をとってしまう。
（ニ）よく一緒に使用するメジャースプーンの収納場所に困る。
本発明は、以上のような欠点をなくすためになされたものである。
【課題を解決するための手段】
【０００４】  本体（１）下側に蓋（２）を設け、閉じる事により出来る両端の空間をペーパー引き出し口（３）として設ける。本体（１）には、収納用につり下げ紐（４）とスプーンベルト（５）を設ける。
本発明は、以上の構成よりなるコーヒードリップペーパー収納引き出しバッグである。
【発明の効果】
【０００５】  つり下げ収納のため場所をとらず、コーヒードリップペーパー全体を上部からカバーしているため埃がつかないので衛生的である。つり下げておくことで、片手で引き出し口から１枚づつ引き出すことが出来る簡便さと、一回一回、蓋の開け閉めの手間が無くなる。
コーヒー豆の分量を量るメジャースプーンもベルトに掛け収納出来るため、コーヒーをドリップする際にも、すぐに一緒に使用することが出来る。
【発明を実施するための最良の形態】
【０００６】  以下、本発明を実施するための最良の形態について説明する。
コーヒードリップペーパーに合わせた形の本体（１）下側に蓋（２）を設け、本体（１）正面と、蓋（２）に開閉用のための面ファスナー（６）を付け、蓋（２）を閉じた時、本体（１）両端にできる空間をペーパー引き出し口（３）とする。本体（１）上部には、つり下げ紐（４）、本体（１）側面にはスプーンベルト（５）を設ける。
本発明は、以上のような構造である。
これを使用する時は、本体にコーヒードリップペーパーを入れ蓋をし、つり下げ、引き出し口から片手でペーパーを引き出す。スプーンベルトにはコーヒー豆用メジャースプーンをさして収納できる。
【図面の簡単な説明】
【０００７】
【図１】本発明の斜視図である。
【図２】本発明の開閉斜視図である。
【図３】本発明の使用正面図である。
【符号の説明】
【０００８】１  本体
２  蓋
３  ペーパー引き出し口
４  つり下げ紐
５  スプーンベルト
６  面ファスナー
【図１】
2010105736.tif 000003
【図２】
2010105736.tif 000004
【図３】
2010105736.tif 000005